(57)【要約】【課題】  調節機能をより的確に評価、理解できるようにする。【解決手段】  被検眼に呈示する固視標の呈示位置を被検眼に対して距離方向に変化可能な固視標呈示手段と、被検眼の屈折力の変化を連続的に測定する眼屈折力測定手段と、固視標を複数の位置で所定時間Ｔの間停止した状態で測定された屈折力変化に基づいて調節微動高周波成分の出現頻度を解析する解析手段と、を備え眼調節機能測定装置において、各固視標位置における調節微動高周波成分の出現頻度の解析結果をモニタにグラフで表示する共に、各固視標位置にて所定時間Ｔの間停止した状態で連続測定された屈折力変化のグラフを、調節微動高周波成分の出現頻度のグラフに関連させてモニタの同一画面に表示する表示手段を設けたことを特徴とする。【選択図】      図５
2005296310.tif 000002
【特許請求の範囲】
【請求項１】
被検眼に呈示する固視標の呈示位置を被検眼に対して距離方向に変化可能な固視標呈示手段と、被検眼の屈折力の変化を連続的に測定する眼屈折力測定手段と、固視標を複数の位置で所定時間Ｔの間停止した状態で測定された屈折力変化に基づいて調節微動高周波成分の出現頻度を解析する解析手段と、を備える眼調節機能測定装置において、
各固視標位置における調節微動高周波成分の出現頻度の解析結果をモニタにグラフで表示する共に、各固視標位置にて所定時間Ｔの間停止した状態で連続測定された屈折力変化のグラフを、前記調節微動高周波成分の出現頻度のグラフに関連させてモニタの同一画面に表示する表示手段を設けたことを特徴とする眼調節機能測定装置。
【請求項２】
請求項１の眼調節機能測定装置において、前記調節微動高周波成分出現頻度の解析結果のグラフと屈折力変化のグラフとを前記モニタの同一画面に同時に表示するか、個別に表示するかを選択する選択手段を設けたことを特徴とする眼調節機能測定装置。
【請求項３】
請求項２の眼調節機能測定装置において、屈折力変化のグラフのみを個別に表示する場合、さらに、前記屈折力測定手段により測定された複数の測定眼の屈折力変化のグラフを、モニタの同一画面に表示する手段を設けたことを特徴とする眼調節機能測定装置。
【請求項４】
請求項１〜３の何れかの眼調節機能測定装置において、さらに、前記調節微動高周波成分の出現頻度の解析対象とするデータ部分、またはその解析対象から除外するデータ部分を、屈折力変化のグラフが表示された画面にて任意に指定する指定手段を設けたことを特徴とする眼調節機能測定装置。
【請求項５】
請求項１の眼調節機能測定装置において、前記解析手段は、各固視標位置について前記所定時間Ｔ内で一定時間ずつずらした一定の区間時間毎に調節微動高周波成分の出現頻度を解析し、その解析結果を複数の段階に分類する手段を含み、
前記調節微動高周波成分の出現頻度のグラフは、各固視標位置について前記区間時間毎に解析された調節微動高周波成分の出現頻度の分類結果を棒グラフで色分けして表示すると共に、棒グラフの高さを区間時間内の平均屈折力とし、棒グラフの幅方向を固視標位置とし、各固視標位置においては前記区間時間毎の棒グラフを経時的に配置した表示であり、
前記屈折力変化のグラフは、連続測定された屈折力の値を前記棒グラフの高さ方向に取り、各固視標位置に配置した前記棒グラフの表示幅を測定時間に対応させて表示した線グラフであることを特徴とする眼調節機能測定装置。
【発明の詳細な説明】
【技術分野】
【０００１】
本発明は、被検眼の調節機能を他覚的に測定する眼調節機能測定装置に関する。
【背景技術】
【０００２】
眼の調節緊張を測定する方法及び装置が、下記特許文献１及び非特許文献１にて提案されている。これらの方法及び装置においては、調節緊張の程度と調節微動の高周波成分の出現頻度にある種の相関があることに着目し、固視標（刺激視標）を遠方から０．５Ｄステップ毎に近方へ移動させ、８箇所の各位置で固視標が停止状態にあるときの屈折力データの経時変化をそれぞれ所定時間サンプリングし、サンプリングした屈折力の経時変化について所定の高周波成分の出現頻度を求めることにより、被検眼の調節機能を他覚的に測定している。調節緊張の測定結果は、固視標位置、調節反応量（屈折力値）の平均値及び調節微動の高周波成分出現頻度が一つのグラフで表現されている。
【特許文献１】特開平２００３−７０７４０号公報
【非特許文献１】鈴木説子、他２名「調節微動の高周波成分による調節機能の評価」、視覚の科学、日本眼光学学会、２００１年９月、第２２巻、第３号、ｐ．９３−９７
【発明の開示】
【発明が解決しようとする課題】
【０００３】
しかし、上記の調節緊張を測定する装置は新しく、調節微動の高周波成分出現頻度の解析も研究段階にあり、その理解には調節微動の解析に関する原理の理解と経験を要する。このため、調節微動の高周波成分出現頻度から調節機能を的確に評価、理解するためには、まだ多くの改良点がある。
【０００４】
本発明は、上記従来技術に鑑み、調節機能をより的確に評価、理解できる眼調節機能測定装置を提供することを技術課題とする。
【課題を解決するための手段】
【０００５】
上記課題を解決するために、本発明は以下のような構成を備えることを技術課題とする。
【０００６】
（１）  被検眼に呈示する固視標の呈示位置を被検眼に対して距離方向に変化可能な固視標呈示手段と、被検眼の屈折力の変化を連続的に測定する眼屈折力測定手段と、固視標を複数の位置で所定時間Ｔの間停止した状態で測定された屈折力変化に基づいて調節微動高周波成分の出現頻度を解析する解析手段と、を備える眼調節機能測定装置において、各固視標位置における調節微動高周波成分の出現頻度の解析結果をモニタにグラフで表示する共に、各固視標位置にて所定時間Ｔの間停止した状態で連続測定された屈折力変化のグラフを、前記調節微動高周波成分の出現頻度のグラフに関連させてモニタの同一画面に表示する表示手段を設けたことを特徴とする。
（２）  （１）の眼調節機能測定装置において、前記調節微動高周波成分出現頻度の解析結果のグラフと屈折力変化のグラフとを前記モニタの同一画面に同時に表示するか、個別に表示するかを選択する選択手段を設けたことを特徴とする。
（３）  （２）の眼調節機能測定装置において、屈折力変化のグラフのみを個別に表示する場合、さらに、前記屈折力測定手段により測定された複数の測定眼の屈折力変化のグラフを、モニタの同一画面に表示する手段を設けたことを特徴とする。
（４）  （１）〜（３）の何れかの眼調節機能測定装置において、さらに、前記調節微動高周波成分の出現頻度の解析対象とするデータ部分、またはその解析対象から除外するデータ部分を、屈折力変化のグラフが表示された画面にて任意に指定する指定手段を設けたことを特徴とする。
（５）  （１）の眼調節機能測定装置において、前記解析手段は、各固視標位置について前記所定時間Ｔ内で一定時間ずつずらした一定の区間時間毎に調節微動高周波成分の出現頻度を解析し、その解析結果を複数の段階に分類する手段を含み、前記調節微動高周波成分の出現頻度のグラフは、各固視標位置について前記区間時間毎に解析された調節微動高周波成分の出現頻度の分類結果を棒グラフで色分けして表示すると共に、棒グラフの高さを区間時間内の平均屈折力とし、棒グラフの幅方向を固視標位置とし、各固視標位置においては前記区間時間毎の棒グラフを経時的に配置した表示であり、前記屈折力変化のグラフは、屈折力を前記棒グラフの高さ方向に取り、各固視標位置に配置した前記棒グラフの表示幅を測定時間に対応させて表示した線グラフであることを特徴とする。
【発明の効果】
【０００７】
本発明によれば、調節微動高周波成分の出現頻度の解析結果の理解促進を図ることができ、調節機能をより的確に評価、理解できるうなる。また、調節微動高周波成分の出現頻度の解析における信頼性向上を図ることができる。
【発明を実施するための最良の形態】
【０００８】
以下、本発明の最良の形態を図面に基づいて説明する。図１は、本発明に係る眼調節機能測定装置の外観図である。測定装置は、基台１と、基台１に取り付けられた顔支持ユニット２と、基台１上に移動可能に設けられた移動台３と、移動台３に移動可能に設けられ、後述する光学系を収納する測定部４を備える。測定部４は、移動台３に設けられたＸＹＺ駆動部６により、被検眼Ｅに対して左右方向（Ｘ方向）、上下方向（Ｙ方向）及び前後方向（Ｚ方向）に移動される。駆動部６は、Ｘ，Ｙ，Ｚの方向毎に設けられたスライド機構、モータ等から構成される。移動台３は、ジョイスティック５の操作により、基台１上をＸ方向及びＺ方向に移動され、回転ノブ５ａを回転操作することにより、ＸＹＺ駆動部６のＹ駆動によりＹ方向に移動される。移動台３には被検眼Ｅの観察像や測定結果等の各種の情報を表示するカラーのモニタ７、測定モード切換スイッチ等が配置されたスイッチ部８が設けられている。
【０００９】
図２は光学系の概略構成図である。眼屈折力測定光学系１０は、投光光学系１０ａと受光光学系１０ｂを持つ。１１は赤外領域に波長を持つ２個の測定用光源であり、光軸を中心に回転可動に配置されている。１２は集光レンズ、１３は被検眼Ｅの眼底と共役な位置に配置されるべく移動可能な測定用ターゲット板、１４は投影レンズである。光源１１〜投影レンズ１４により投影光学系１０ａが構成される。１５ａ及び１５ｂはビームスプリッタである。１７は対物レンズ、３１はビームスプリッタ、１６はミラー、１８、１９はリレーレンズ、２０は被検眼Ｅの角膜と共役な位置に配置されている帯状の角膜反射除去マスク、２１はターゲット板１３とともに移動する移動レンズ、２２は結像レンズである。２３は測定用受光素子であり、測定用受光素子２３は測定用光源１１及び角膜反射除去マスク２０と同期して光軸を中心に回動する。対物レンズ１０〜受光素子２３により受光光学系１０ｂが構成される。なお、角膜反射除去マスク２０には角膜や前眼部からの反射光が入射する２つの受光素子２０ａが設けられており、その受光素子２０ａの出力信号により被検眼の瞬きの有無が検出される。
【００１０】
３０は固視標呈示光学系を表す。３２は光軸上を移動可能な第１リレーレンズであり、その移動量は被検眼の球面屈折力と比例関係にある。３３は第２リレーレンズ、３４は第２リレーレンズ３３の焦点位置に配置されている固視標（刺激視標）、３５は集光レンズ、３６は照明ランプである。固視標３４は、例えば、風景チャートや放射状のラインが描かれたバースト視標である。第１リレーレンズ３２は光軸上を移動することによって固視標３４の呈示位置（呈示距離）を光学的に変化させる。眼屈折力の測定時には、第１リレーレンズ３２の移動により被検眼の調節除去の雲霧を行う。固視標３４の呈示位置の変更は、固視標３４、集光レンズ３５、照明ランプ３６をセットで光軸方向に移動する構成であっても良い。
【００１１】
４０は視軸方向からＸＹ方向のアライメント指標を角膜に投影するＸＹ指標投影光学系を示す。４１は赤外光の光を出射する点光源である。点光源４１を出射した光束は、ビームスプリッタ４２で反射した後、ビームスプリッタ３１を介して、対物レンズ１７により平行光束となり、ビームスプリッタ１５ａで反射し、測定光軸に沿って被検眼Ｅの正面から指標を投影する。
【００１２】
８０はＺ方向のアライメント指標を角膜に投影するＺ指標投影光学系である。Ｚ指標投影光学系８０は、被検眼Ｅに対向する測定光軸Ｌ１を中心に対称に配置された２組の視標投影光学系８０ａ，８０ｂと、この視標投影光学系８０ａ，８０ｂの外側に光軸Ｌ１を中心に対称に配置された２組の視標投影光学系８０ｃ，８０ｄを備える。視標投影光学系８０ａ，８０ｂは赤外の点光源８１ａ，８１ｂにより構成され、それぞれの投影光軸は測定光軸Ｌ１に対して所定の角度で交わるように配置されている。この視標投影光学系８０ａ，８０ｂは、被検眼Ｅに対して有限遠の視標を投影する。視標投影光学系８０ｃ，８０ｄは、赤外の点光源８１ｃ，８１ｄとコリメーティングレンズ８２ｃ，８２ｄとにより構成され、それぞれの投影光軸は測定光軸Ｌ１に対して所定の角度で交わるように配置されている。この視標投影光学系８０ｃ，８０ｄは、被検眼Ｅに対して無限遠に視標を投影する。
【００１３】
４５は観察光学系を示す。図示無き照明光源により照明された被検眼前眼部像及び指標投影光学系４０及び８０により投影された各指標像はビームスプリッタ１５ｂで反射された後、対物レンズ４６、ミラー４７を介してＣＣＤカメラ４８に撮像される。また、観察光学系４５は被検眼Ｅに投影されたアライメント指標像を検出する検出光学系を兼ねる。
【００１４】
図３は装置の制御系の概略構成図である。ＣＣＤカメラ４８からの映像信号は、画像処理部５１に入力され、モニタ７に出力される。５０は制御部であり、ＸＹＺ駆動部６、受光素子２３、スイッチ部８、測定用光源１１及び受光素子２３を駆動するモータ５６、測定用ターゲット板１３及びレンズ２１を移動するモータ５７、第１リレーレンズ３２を移動するモータ５８、ターゲット板１３の移動位置を検出するポテンショメータ６０、メモリ６２、音発生器６３、等が接続されている。制御部５０はこれらの各構成部を制御すると共に、受光素子２３やポテンショメータ６０からの検出信号を基に眼屈折力を演算し、また、後述する調節機能状態を解析する機能を有する。また、制御部５０にはマウスやキーボード等の入力手段７０が接続されている。調節機能状態の解析機能、解析結果の表示モニタ、入力手段７０等は、パーソナルコンピュータを使用することも可能である。
【００１５】
以上のような構成を備える装置において、調節機能測定の動作を説明する。人の眼は、静止した視標を固視しているときに、自覚的には静止屈折状態にあると認識されているが、経時的に他覚的な屈折力の観察を行うと、調節微動と呼ばれる正弦波様の揺れが認められる。調節微動の高周波成分は水晶体屈折力の振動に起因し、毛様体筋の活動状態を示すと考えられる。毛様体筋に掛かる負荷が大きくなると、調節微動の高周波成分の出現頻度も増加する。調節微動の高周波成分の出現頻度（以下、ＨＦＣ）を調べることにより、被検眼の調節緊張の程度を類推することができる。また、調節反応量（屈折力変化）を見ることにより、調節反応の異常、調節力の強さの程度を評価することができる。
【００１６】
調節機能測定に際しては、まず、通常の遠用屈折力測定を実行する。検者は、モニタ７に表示される前眼部像を観察しながら、ジョイスティック５及び回転ノブ５ａを操作し、移動台３及び測定部４をＸＹＺ方向に移動して粗くアライメントする。
【００１７】
ＸＹ指標投影光学系４０及びＺ指標投影光学系によるアライメント指標像が現われるようになると、自動アライメント及び追尾が行われるようになる。各指標像は画像処理部５１により検出処理される。制御部５０は、ＸＹ指標投影光学系４０による指標像の検出結果を基に、適正位置に対するＸＹ方向のアライメント状態を判定し、Ｚ指標投影光学系８０による検出結果を基にＺ方向のアライメント状態を判定する。制御部５０は、各方向のアライメント状態の判定結果に基づきＸＹＺ駆動部６を駆動制御して測定部４を各方向に移動し、アライメント状態が所定の許容範囲に入れば、トリガ信号を自動的に発して測定を実行する。
【００１８】
測定用光源１１を出射した測定光は、集光レンズ１２、ターゲット板１３、投影レンズ１４、ビームスプリッタ１５ａ及び１５ｂを経て被検眼Ｅの角膜近傍に集光した後、眼底に到達する。正常眼の場合、眼底で反射したターゲット像はビームスプリッタ１５ａで反射し、対物レンズ１７、ビームスプリッタ３１を通過後、ミラー１６でもう一度反射され、リレーレンズ１８，１９及びレンズ２１を通過し、結像レンズ２２によって受光素子２３上で結像する。被検眼に屈折異常がある場合は、受光素子２３で受光した眼底反射光の受信信号に基づき、モータ５７を駆動して移動レンズ２１とともにターゲット板１３を被検眼Ｅの眼底と共役な位置にくるように移動させる。
【００１９】
次に、モータ５８の駆動により第１リレーレンズ３２を移動して固視標３４と被検眼Ｅの眼底とを共役な位置においた後、被検眼の調節を除去すべく、さらに適当なディオプタ分だけ雲霧が掛かるように第１リレーレンズ３２を移動させる。被検眼Ｅに雲霧の掛かった状態で、測定用光源１１、角膜反射除去マスク２０、及び受光素子２３を光軸回りに１８０度回転させる。回転中、受光素子２３からの信号によりターゲット板１３及び移動レンズ２１が移動し、その移動量をポテンショメータ６０が検出して各経線方向の屈折力を求める。制御部５０は、この屈折力に所定の処理を施すことによって被検眼のＳ（球面屈度数）、Ｃ（乱視度数）、Ａ（乱視軸角度）の他覚屈折力値を得る。雲霧状態での他覚屈折力値Ｓ，Ｃ，Ａはメモリ６２に記憶される。
【００２０】
遠用屈折力測定の終了後、引き続き調節緊張測定に移行する。調節緊張測定では、まず、遠用屈折力測定で得られたＳ値の位置（被検眼の遠点位置と見なすことができる）を基準に、＋０．５Ｄ分だけ遠方位置に固視標３４が移動される。この固視標位置で、所定時間Ｔ（本実施形態では１２秒）における屈折力データの経時変化がサンプリングされる。このとき、測定用光源１１及び測定受光素子２３を位置させる測定経線方向は、ある一つの方向（水平経線方向）に設定しておくことにより、屈折力データの経時変化のサンプリングを０．１秒以下の短い時間で検出できる。２．３Ｈｚまでの高周波成分を対象とする場合には、約８０msecの間隔でサンプリングすれば、２．３Ｈｚの１周期中に５回検出することになるので、ＨＦＣの解析が可能になる。より高周波成分を解析する場合には、サンプリング間隔をより短くする。例えば、２０msecにすれば、１０Ｈｚまでの高周波成分も可能になる。
【００２１】
その後、０．５Ｄステップずつ固視標３４が近方に順次移動されると共に、各位置においてそれぞれ時間Ｔ（１２秒）における屈折力データの経時変化が同じようにサンプリングされる。固視標３４の移動は合計８箇所の位置まで繰り返される。すなわち、遠点位置に相当する遠用測定でのＳ値を基準に＋０．５Ｄ〜−３．０Ｄ間を０．５Ｄステップで８回測定される。各固視標位置でサンプリングされた屈折力データは、各固視標位置に対応付けられてメモリ６２に記憶される。また、角膜反射除去マスク２０に設けられた受光素子２０ａの出力信号により瞬きが検出されたサンプリングデータについては、チェックマークを付けておき、後のＨＦＣ解析に使用しないようにする。なお、固視標３４を移動して測定毎の間には、５秒間の休憩が取られる。
【００２２】
各固視標位置（８箇所）でサンプリングされた屈折力データがメモリ６２に記憶されると、調節機能の解析が制御部５０により実施される。この解析に先立って、先に得られた遠用屈折力測定にて被検眼に乱視がある場合には、上記でサンプリングされた屈折力データを次式により弱主経線方向の屈折力に補正する。ＤCORは補正後の屈折力、ＳHは測定経線方向でサンプリングした屈折力（球面度数）、ＣHOME及びＡHOMEは遠用屈折力測定で得られた乱視度数及び乱視軸角度である。
【００２３】
【数１】
2005296310.tif 000003
【００２４】
この乱視補正により、ある特定の経線方向の測定による屈折力データであっても、乱視を考慮した正確な解析・評価が可能になる。例えば、乱視軸角度が測定経線方向とずれた９０°であった場合（乱視度数はマイナスとする）、固視標の呈示は遠方方向から測定開始を行うため、まず垂直方向に指標がクリアに見える。ここで、測定経線方向が水平方向（＝０°）であった場合には、そのサンプリングされる屈折力は乱視分強く測定されることになる。すなわち、Ｃ＝−２Ｄの被検眼の場合には、水平経線方向の屈折力が−２Ｄ分強く得られる。この屈折力をそのまま調節緊張の解析に使用すると、あたかも調節リード（過調節）があるように見えてしまい、正しい判定ができなくなる。これに対して、測定経線方向の屈折力を、上記の演算により弱主経線方向の屈折力に補正することにより、屈折力を正確に評価できる。
【００２５】
制御部５０は、乱視補正の演算後の屈折力変化データを基にＨＦＣを解析する。ＨＦＣの解析処理について、図４を用いて説明する。まず、被検眼の瞬き検出によりチェックされた屈折力データを演算対象から除去する。瞬きによるデータの欠損、乱れは３次スプライン関数にて補正しても良い。次に、高速フーリエ変換（ＦＦＴ）を用いて周波数分析を行い、固視標位置毎に時間Ｔ（１２秒間）におけるパワースペクトルを求める。パワースペクトルの算出にあたって、測定開始直後の１秒間については解析対象から除外する。固視標３４を次の位置に移動させて測定するときに、約５秒間の休憩と取るが、被検眼により調節時間が異なるため、また、瞬きなどによるデータ欠損及び測定開始直後は被検眼の固視が安定しな可能性が高いためである。測定開始直後の１秒間を除いた残りの１１秒間について、０．６１秒ずつずらした約４．９秒間の区間毎にパワースペクトルを算出する。すなわち、パワースペクトルを算出する区間数は、本実施形態では合計１１個となる。次に、１１個の各区間について算出されたパワースペクトルを常用対数に変換して解析する。このパワースペクトルから、高周波数成分１．０〜２．３Ｈｚの区間の平均パワースペクトル（単位ｄＢ）を求め、これを調節微動高周波成分の出現頻度（ＨＦＣ）として評価する。また、ＨＦＣの解析結果の表示用として、解析したＨＦＣの値に応じて複数段階（本実施形態では８段階）に分類する。
【００２６】
各固視標位置における全てのＨＦＣが算出されると、調節緊張の解析結果がモニタ７に表示される。モニタ７の表示画面は、制御部５０により制御される。図５はその解析結果の表示例である。この例では、固視標（刺激視標）位置、調節反応量及びＨＦＣの３要素を、カラーコードマップを用いた３次元グラフＧHFCとしてグラフィック表示している。ＨＦＣのグラフＧHFCは、縦軸を調節反応量（屈折力Ｄ）、横軸を固視標位置としている。各固視標位置においては、ＨＦＣを求めた区間数である１１個の棒グラフを左から経時的に配置している。縦軸とした棒グラフの高さは、各区間における屈折力の平均値である。そして、各棒グラフ内では、ＨＦＣの値に応じて分類された８段階の結果を色分け表示している。色分けは、例えば、ＨＦＣが５０未満は緑色で、７０以上のときは赤色で表示し、その間を緑色から黄色を経由して赤に至るグラデーションで表示している。これは、濃淡変化で表すこともできる。調節緊張の少ない被検眼は遠方視におけるＨＦＣの値が低く、カラーコードマップでは緑色を呈する。これに対して、調節緊張が多い被検眼は、ＨＦＣの値が全体的に高くなり、カラーコードマップでは赤色を呈し、毛様体筋が緊張状態にあることが示される。このグラフにより、調節緊張を客観的に知ることができ、調節異常の診断や治療方針の決定に有益な情報を提供できる。
【００２７】
また、ＨＦＣのグラフＧHFCに加えて、各固視標位置にて連続測定した屈折力変化を時系列波形の線グラフＧRPとして、モニタ７の同一画面に表示している。線グラフＧRPの縦軸は、ＨＦＣと同じく、屈折力Ｄの値としている。一方、線グラフＧRPの横軸は測定時間（休憩時間５秒を除く）とし、各固視標位置の測定時間である１２秒を、固視標位置毎に表示されたＨＦＣのグラフＧHFC（１１本の棒グラフ）に対応させている。すなわち、測定時間を各固視標位置に配置したグラフＧHFCの１１本の表示幅に対応させた表示としている。このように、ＨＦＣのグラフＧHFCの表示に関連させて屈折力変化のグラフＧRPを同時に表示することにより、検者は、ＨＦＣの解析結果と屈折力の変化（揺れ）を同時に確認することができ、ＨＦＣの解析結果が理解し易くなる。また、ＨＦＣのグラフＧHFCのみでは理解しにくかった眼の反応状態が理解し易くなる。例えば、図５の例では、遠方の−５．２５Ｄ，−５．７５Ｄ，−６．２５Ｄの固視標位置においては、グラフＧHFCが緑色を呈しており、ＨＦＣが低い値を示していることを意味する。この固視標位置の線グラフＧRPを見ると、その振動変化は小さい。これに対して、近方の固視標位置である−５．７５Ｄ〜−８．２５Ｄにおいては、グラフＧHFCの色が黄色、オレンジ色及び赤い色を呈している部分が散見され、これはＨＦＣが高い値を示している。この固視標位置の線グラフＧRPを見ると、その振動幅変化の大きい部分が多いことが分かる。すなわち、ＨＦＣが高値を示す理由が、屈折力変化のグラフＧRPを見ることにより、容易に理解できるようになる。
【００２８】
さらに、ＨＦＣグラフＧHFCの棒グラフ部分をマウス等により指定すると、指定した棒グラフに対応する屈折力の線グラフＧRP部分（ＨＦＣ解析対象の区間部分）の色が変わるように表示させることにより、ＨＦＣグラフＧHFCと線グラフＧRPとの対応関係が分かりやすくなる。
【００２９】
なお、図５において、ラインＦｓは遠用屈折力測定で得られたＳ値を示し、各固視標位置における屈折力Ｄと対応付けて表示されている。点線ラインＦｉは、各固視標位置を屈折力に換算した値を示す。また、各固視標位置におけるＨＦＣの信頼性が瞬目等による屈折力データの欠損量に応じて５段階で判定され、その判定結果は「＊」印１０３で表示されている。「＊」印の数が多いほど、信頼性の高いことを意味している。
【００３０】
ＨＦＣのグラフＧHFC、屈折力変化の線グラフＧRPは、個別に表示させることも可能である。マウス操作により、画面下にあるＨＦＣグラフ表示を意味するチェックボックス１００のチェックを外し、屈折力変化の線グラフＧRP表示を意味するチェックボックス１０１のチェックを入れたままとすると、図６のように、屈折力変化のグラフＧRPのみが選択的に表示される。屈折力変化のグラフＧRPのみを表示させることにより、固視標位置（調節刺激位置）に対する屈折力の追随程度、被検眼の反応状態が理解し易くなる。一方、チェックボックス１００にチェックを入れ、チェックボックス１０１のチェックを外すと、図７のように、ＨＦＣのグラフＧHFCのみを選択的に表示させることができる。
【００３１】
さらに、屈折力変化の線グラフＧRPについては、図８のように、同一画面に複数個（この例では、最大４データ）を表示させることができる。図８において、リストボックス１１０内のリストデータ（データは、メモリ６２に予め記憶されている）を、マウス操作により複数個選択すると、その選択された複数個の被検眼及び被検者の情報が表示欄１１１に表示されると共に、選択されたデータについての屈折力変化の線グラフＧRP０１，線グラフＧRP０２が異なる色で表示される。ここで、線グラフＧRP０１は標準的な眼の屈折力変化を例にしたものであり、線グラフＧRP０２は調節痙攣眼の屈折力変化を例にしたものである。標準的な眼の線グラフＧRP０１と対比して被検眼の屈折力変化（線グラフＧRP０２）が表示されていることにより、その被検眼の異常を視覚的に容易に把握することができる。
【００３２】
また、ＨＦＣの解析に際し、屈折力変化の線グラフＧRPの表示を利用することにより、検者が任意に指定した箇所のみＨＦＣ解析の対象から除外、または指定した箇所のみをＨＦＣ解析の対象とすることができる。例えば、線グラフＧRPをモニタに表示させ、線グラフＧRPを見ることにより、瞬き等に起因して屈折力変化データに異常が有ると思われる場合は、図９にように、マウスによるポイントドラッグにより、ＨＦＣ解析の対象から除外する範囲１２０を線グラフＧRP上で指定した後、キーボードのDeleteキーを押し、範囲１２０の屈折力データを削除する。複数箇所ある場合は、同じ操作を繰り返す。その後、ＯＫボタン１２１をクリックすることにより、ＨＦＣ解析が再び実行され、その解析結果が表示される。これは、逆に、ＨＦＣ解析が必要な箇所を指定することでも良い。また、各固視標位置について、測定開始からの時間指定する方法でも良い。このように、検者自身にてＨＦＣ解析に必要な屈折力変化データを任意に選定できるので、信頼性の低いデータや異常なデータを除いたＨＦＣ解析ができ、これにより、解析結果の信頼性が向上する。
【００３３】
なお、以上説明した実施形態における固視標の移動位置の数、その移動のステップ度数、ＨＦＣ解析時の所定時間Ｔや解析の区間数、等については単に例示に過ぎず、本発明はこれらに限定されるものではない。
【図面の簡単な説明】
【００３４】
【図１】本発明に係る眼調節機能測定装置の外観図である。
【図２】装置の光学系の概略構成図である。
【図３】装置の制御系の概略構成図である。
【図４】ＨＦＣの解析を説明する図である。
【図５】調節緊張の解析結果の表示例である。
【図６】屈折力変化のグラフのみを選択的に表示した例である。
【図７】ＨＦＣのグラフのみを選択的に表示した例である。
【図８】屈折力変化の線グラフを、モニタの同一画面に複数個表示した例である。
【図９】指定した箇所の屈折力変化データをＨＦＣ解析の対象から除外、または指定した箇所のみをＨＦＣ解析の対象とする例を説明する図である。
【符号の説明】
【００３５】
４  測定部
７  モニタ
１０  眼屈折力測定光学系
３０  固視標呈示光学系
３４  固視標
５０  制御部
５１  画像処理部
６２  メモリ
７０  入力手段
１００        ，１０１  チェックボックス
【図１】
2005296310.tif 000004
【図２】
2005296310.tif 000005
【図３】
2005296310.tif 000006
【図４】
2005296310.tif 000007
【図５】
2005296310.tif 000008
【図６】
2005296310.tif 000009
【図７】
2005296310.tif 000010
【図８】
2005296310.tif 000011
【図９】
2005296310.tif 000012